(57)【要約】【課題】  投射される映像の明るさや色純度をユーザが容易に調整することのできる投射型画像表示システム、投射型画像表示装置、およびランプ点灯制御方法を提供する。【解決手段】プロジェクタ装置１０に接続された機器（ＰＣ装置３０又は録画再生装置４０）を認識し、映像信号入力に応じた映像モードメニューを選択してスクリーン５０に表示させるようにしたので、投射型画像表示システムの使用に際してスクリーン５０に表示された映像を見ながら、ユーザや設計者が好みの明るさや色純度の調整を容易かつ直感的に行うことができる。【選択図】図１
2007194950.tif 000002
【特許請求の範囲】
【請求項１】
第１の映像信号を出力する第１の端末装置と、
第２の映像信号を出力する第２の端末装置と、
互いに異なる色の光を透過させる複数の色セグメントからなるカラーフィルタを構成する円盤状のカラーホイールと、前記カラーホイールに光を照射することにより前記複数のカラーフィルタに応じた透過色の光を生成するランプと、選択された前記カラーフィルタに対して前記ランプから前記光が照射される期間に前記ランプの駆動電流にパルス電流を重畳させるランプ制御部と、前記第１の映像信号又は前記第２の映像信号に基づいて駆動されて前記カラーフィルタを透過した光を前記映像信号に応じて反射することにより映像光を生成する光変調部と、前記第１の端末装置および前記第２の端末装置と接続されて前記第１の映像信号又は前記第２の映像信号に応じて前記パルス電流の重畳を可変させる設定内容の映像調整メニューをユーザ操作に基づいて投射させる制御部とを含む投射型画像表示装置と、
前記映像光を投射される投射面を有するスクリーンとを含むことを特徴とする投射型画像表示システム。
【請求項２】
ＲＧＢ映像信号を出力する第１の端末装置と、
Ｖｉｄｅｏ映像信号を出力する第２の端末装置と、
互いに異なる色の光を透過させる複数の色セグメントからなるカラーフィルタを構成する円盤状のカラーホイールと、前記カラーホイールに光を照射することにより前記複数のカラーフィルタに応じた透過色の光を生成するランプと、選択された前記カラーフィルタに対して前記ランプから前記光が照射される期間に前記ランプの駆動電流にパルス電流を重畳させるランプ制御部と、前記ＲＧＢ映像信号は前記Ｖｉｄｅｏ映像信号に基づいて駆動されて前記カラーフィルタを透過した光を前記映像信号に応じて反射することにより映像光を生成する光変調部と、前記第１の端末装置および前記第２の端末装置と接続されて前記第１の映像信号又は前記第２の映像信号に応じて前記パルス電流の重畳を可変させる設定内容の映像調整メニューを本体操作部又はリモートコントローラの操作に基づいて投射させる制御部とを含む投射型画像表示装置と、
前記映像光を投射される投射面を有するスクリーンとを含むことを特徴とする投射型画像表示システム。
【請求項３】
互いに異なる色の光を透過させる複数の色セグメントからなるカラーフィルタを構成する円盤状のカラーホイールと、
前記カラーホイールに光を照射することにより前記複数のカラーフィルタに応じた透過色の光を生成するランプと、
選択された前記カラーフィルタに対して前記ランプから前記光が照射される期間に前記ランプの駆動電流にパルス電流を重畳させるランプ制御部と、
映像信号に基づいて駆動されて前記カラーフィルタを透過した光を前記映像信号に応じて反射することにより映像光を生成する光変調部と、
前記映像信号に応じて前記パルス電流の重畳を可変させる設定内容の映像調整メニューをユーザ操作に基づいて投射させる制御部とを含むことを特徴とする投射型画像表示装置。
【請求項４】
互いに異なる色の光を透過させる複数の色セグメントからなるカラーフィルタを構成する円盤状のカラーホイールと、
映像信号に同期して駆動されて前記カラーホイールに光を照射することにより前記複数のカラーフィルタに応じた透過色の光を生成するランプと、
選択された前記カラーフィルタに対して前記ランプから前記光が照射される期間に前記ランプの駆動電流にパルス電流を重畳させるランプ制御部と、
映像信号に基づいて駆動されて前記カラーフィルタを透過した光を前記映像信号に応じて反射することにより映像光を生成する光変調部と、
前記映像信号に応じて前記パルス電流の重畳を可変させる設定内容の映像調整メニューを本体操作部又はリモートコントローラの操作に基づいて投射させる制御部とを含むことを特徴とする投射型画像表示装置。
【請求項５】
前記制御部は、前記本体操作部又は前記リモートコントローラのピクチャースイッチが操作されたとき前記映像光の明るさ又は色純度を調整するメニューを表示させる請求項４に記載の投射型画像表示装置。
【請求項６】
前記制御部は、前記本体操作部又は前記リモートコントローラのメニュースイッチが操作されたとき前記映像光の明るさ又は色純度を調整するメニューを下位の階層に含む設定表示メニューを表示させる請求項４に記載の投射型画像表示装置。
【請求項７】
投射型画像表示装置からスクリーンの投射面に投射された映像光を視認する第１のステップと、
前記投射型画像表示装置を操作して前記映像光の明るさ又は色純度を調整するメニューを呼び出す第２のステップと、
前記メニューに表示される前記明るさ又は前記色純度の調整量を見ながら前記投射型画像表示装置に設けられる操作部又はリモートコントローラを操作することによって前記明るさ又は前記色純度に応じた調整量を設定する第３のステップと、
前記操作部又は前記リモートコントローラの入力操作に応じて複数の色セグメントからなるカラーフィルタを構成する円盤状のカラーホイールを照射するランプの駆動電流にパルス電流を重畳する第４のステップとを含むことを特徴とするランプ点灯制御方法。
【請求項８】
前記第２のステップにおいて、前記投射型画像表示装置に入力している映像信号の種類に応じた前記メニューを呼び出す請求項７に記載のランプ点灯制御方法。
【請求項９】
前記第４のステップにおいて、前記明るさに応じた調整量の設定があったとき前記カラーフィルタの白セグメント照射期間の前記駆動電流に前記パルス電流を重畳する請求項７に記載のランプ点灯制御方法。
【請求項１０】
前記第４のステップにおいて、前記色純度に応じた調整量の設定があったとき前記カラーフィルタの赤セグメント照射期間の前記駆動電流に前記パルス電流を重畳する請求項７に記載のランプ点灯制御方法。
【発明の詳細な説明】
【技術分野】
【０００１】
本発明は、カラー映像をスクリーン等に投射する投射型画像表示システム、投射型画像表示装置、及びこれに用いられるランプの点灯制御方法に関し、特にカラーホイールを用いて白色光を各色の光に時分割し、デジタルマイクロミラーデバイス（Digital Micro Mirror Device ：ＤＭＤ）等の画像表示素子によって各色の映像光に変調してスクリーンに投射する投射型画像表示システム、投射型画像表示装置、およびランプ点灯制御方法に関する。
【背景技術】
【０００２】
近年、映像をより明るく繊細に大画面で写したいというニーズが高まり、プロジェクタや民生用液晶テレビ等の需要が急速に高まってきた。また、高画質のデジタル放送も普及し始め、高画質化及び大画面化のニーズが年々高まっている。
【０００３】
このように高画質化及び大型化のニーズが高まり、大型でより明るい画面を目指して業務用から民生用まで、種々の映像表示デバイスを使用したプロジェクタの開発競争が展開されている。
【０００４】
ところで、プロジェクタの方式として、光源から出射される白色光を、Ｒ（赤）、Ｇ（緑）、Ｂ（青）の色フィルタ（以下、「カラーセグメント」という）を含むカラーホイールを用いて時間的に分割し、この分割した光を液晶パネルやＤＭＤ等の画像表示素子によって、各色の映像光に変調してスクリーン等に投射するようにした投射型画像表示装置が製品化されている。
【０００５】
このような投射型画像表示装置の光源としては、一般に高輝度が容易に得られる高圧放電灯が用いられる。しかし高圧放電灯の場合、その放電が不安定となり、スクリーンに投射された映像の明るさがちらつき、映像品質が低下することがある。このような高圧放電灯のちらつきを防止するものとして、放電灯から出射した光が白セグメントを透過しているとき、放電灯駆動電流にパルス電流（以下ランプパルスという）を重畳する投射型システムが提案されている（例えば、特許文献１参照。）。このランプパルスにより、高圧放電灯の放電は安定化される。
【０００６】
また、ランプの他の制御として、放電灯の駆動電流の強さを好ましい色、つまり特定色が生成されるときに最大になるように変化させ、色バランスを制御する投射型システムが提案されている（例えば、特許文献２参照。）。この駆動電流は、放電灯の放電を安定させるランプパルスを有し、ランプパルスの持続時間は白色を生成する時間に対応している。
【特許文献１】特開２００４−２１２８９０号公報
【特許文献２】特開２００２−４９０９７号公報
【発明の開示】
【発明が解決しようとする課題】
【０００７】
しかし、従来の投射型システムによると、投射される映像に対してユーザや設計者の好みに応じた明るさや色純度の調整を直感的に行うことができない。例えば、プロジェクタ装置とスクリーンの組み合わせが異なるとスクリーンゲイン等の違いにより同じ映像でも見え方が異なる場合があるため、好みの映像を表示させるにあたって繰り返し調整が必要な場合でも、操作が容易に行えることが好ましい。
【０００８】
従って、本発明の目的は、投射される映像の明るさや色純度をユーザが容易に調整することのできる投射型画像表示システム、投射型画像表示装置、およびランプ点灯制御方法を提供することにある。
【課題を解決するための手段】
【０００９】
本発明は、上記目的を達成するため、第１の映像信号を出力する第１の端末装置と、第２の映像信号を出力する第２の端末装置と、互いに異なる色の光を透過させる複数の色セグメントからなるカラーフィルタを構成する円盤状のカラーホイールと、前記カラーホイールに光を照射することにより前記複数のカラーフィルタに応じた透過色の光を生成するランプと、選択された前記カラーフィルタに対して前記ランプから前記光が照射される期間に前記ランプの駆動電流にパルス電流を重畳させるランプ制御部と、前記第１の映像信号又は前記第２の映像信号に基づいて駆動されて前記カラーフィルタを透過した光を前記映像信号に応じて反射することにより映像光を生成する光変調部と、前記第１の端末装置および前記第２の端末装置と接続されて前記第１の映像信号又は前記第２の映像信号に応じて前記パルス電流の重畳を可変させる設定内容の映像調整メニューをユーザ操作に基づいて投射させる制御部とを含む投射型画像表示装置と、前記映像光を投射される投射面を有するスクリーンとを含む投射型画像表示システムを提供する。
【００１０】
また、本発明は、上記目的を達成するため、ＲＧＢ映像信号を出力する第１の端末装置と、Ｖｉｄｅｏ映像信号を出力する第２の端末装置と、互いに異なる色の光を透過させる複数の色セグメントからなるカラーフィルタを構成する円盤状のカラーホイールと、前記カラーホイールに光を照射することにより前記複数のカラーフィルタに応じた透過色の光を生成するランプと、選択された前記カラーフィルタに対して前記ランプから前記光が照射される期間に前記ランプの駆動電流にパルス電流を重畳させるランプ制御部と、前記ＲＧＢ映像信号は前記Ｖｉｄｅｏ映像信号に基づいて駆動されて前記カラーフィルタを透過した光を前記映像信号に応じて反射することにより映像光を生成する光変調部と、前記第１の端末装置および前記第２の端末装置と接続されて前記第１の映像信号又は前記第２の映像信号に応じて前記パルス電流の重畳を可変させる設定内容の映像調整メニューを本体操作部又はリモートコントローラの操作に基づいて投射させる制御部とを含む投射型画像表示装置と、前記映像光を投射される投射面を有するスクリーンとを含む投射型画像表示システムを提供する。
【００１１】
また、本発明は、上記目的を達成するため、互いに異なる色の光を透過させる複数の色セグメントからなるカラーフィルタを構成する円盤状のカラーホイールと、前記カラーホイールに光を照射することにより前記複数のカラーフィルタに応じた透過色の光を生成するランプと、選択された前記カラーフィルタに対して前記ランプから前記光が照射される期間に前記ランプの駆動電流にパルス電流を重畳させるランプ制御部と、映像信号に基づいて駆動されて前記カラーフィルタを透過した光を前記映像信号に応じて反射することにより映像光を生成する光変調部と、前記映像信号に応じて前記パルス電流の重畳を可変させる設定内容の映像調整メニューをユーザ操作に基づいて投射させる制御部とを含む投射型画像表示装置を提供する。
【００１２】
また、本発明は、上記目的を達成するため、互いに異なる色の光を透過させる複数の色セグメントからなるカラーフィルタを構成する円盤状のカラーホイールと、映像信号に同期して駆動されて前記カラーホイールに光を照射することにより前記複数のカラーフィルタに応じた透過色の光を生成するランプと、選択された前記カラーフィルタに対して前記ランプから前記光が照射される期間に前記ランプの駆動電流にパルス電流を重畳させるランプ制御部と、映像信号に基づいて駆動されて前記カラーフィルタを透過した光を前記映像信号に応じて反射することにより映像光を生成する光変調部と、前記映像信号に応じて前記パルス電流の重畳を可変させる設定内容の映像調整メニューを本体操作部又はリモートコントローラの操作に基づいて投射させる制御部とを含むことを特徴とする投射型画像表示装置を提供する。
【００１３】
また、本発明は、上記目的を達成するため、投射型画像表示装置からスクリーンの投射面に投射された映像光を視認する第１のステップと、前記投射型画像表示装置を操作して前記映像光の明るさ又は色純度を調整するメニューを呼び出す第２のステップと、前記メニューに表示される前記明るさ又は前記色純度の調整量を見ながら前記投射型画像表示装置に設けられる操作部又はリモートコントローラを操作することによって前記明るさ又は前記色純度に応じた調整量を設定する第３のステップと、前記操作部又は前記リモートコントローラの入力操作に応じて複数の色セグメントからなるカラーフィルタを構成する円盤状のカラーホイールを照射するランプの駆動電流にパルス電流を重畳する第４のステップとを含むランプ点灯制御方法を提供する。
【発明の効果】
【００１４】
本発明によれば、投射される映像の明るさや色純度をユーザが容易に制御することができる。
【発明を実施するための最良の形態】
【００１５】
（第１の実施の形態）
図１は、本発明の第１の実施の形態に係る投射型画像表示システムを示す概略構成図である。
【００１６】
（各部の構成）
この投射型画像表示システム１は、静止画あるいは動画等の画像に基づく映像光を出射するプロジェクタ装置１０と、プロジェクタ装置１０を遠隔操作するリモートコントローラ２０と、プロジェクタ装置１０と接続されるパーソナル・コンピュータ（ＰＣ）装置３０と、ＤＶＤ（Digital Versatile Disk）やハードディスクドライブに記録されている静止画あるいは動画等の画像データを再生し、プロジェクタ装置１０と接続される録画再生装置４０と、プロジェクタ装置１０から投射された映像光に基づく映像を表示するスクリーン５０とを有する。
【００１７】
プロジェクタ装置１０は、Ｒ（赤）、Ｇ（緑）、Ｂ（青）、及びＷ（白）のカラーセグメントを含むカラーホイールを用いて、光源となる高圧放電灯（ランプ）から出射される光を時間的に分割し、この分割した光を後述する光変調部であるＤＭＤ素子に入射させることにより各色の映像光に変調してスクリーン５０に投射する。画像表示素子に入力する映像信号は、ＰＣ装置３０から入力するＲＧＢ信号と、録画再生装置４０から入力するＶｉｄｅｏ信号、Ｓ−Ｖｉｄｅｏ信号、コンポーネント（Ｙ／ＰＢ／ＰＲ）信号等のＶｉｄｅｏ映像信号である。
【００１８】
リモートコントローラ２０は、プロジェクタ装置１０を操作するための複数のボタン状スイッチを有し、各スイッチの操作に応じた光信号を光送信部から送信することによりプロジェクタ装置１０を遠隔操作する。
【００１９】
ＰＣ装置３０は、ワードプロセッサや表計算のアプリケーションで作成されたデータや、ＰＣ装置３０に設けられるＣＤ／ＤＶＤドライブで再生された動画等の画像信号をＲＧＢ信号で出力するＲＧＢ端子を有し、このＲＧＢ端子とプロジェクタ装置１０のコンピュータ接続用端子とがケーブル接続されている。
【００２０】
録画再生装置４０は、内蔵されたＴＶチューナ、ディスクドライブ、ハードディスクドライブにより再生された映像等のデータをＹ／ＰＢ／ＰＲ映像信号で出力するコンポーネント端子を有し、このコンポーネント端子とプロジェクタ装置１０のコンピュータ接続用端子とがケーブル接続されている。
【００２１】
スクリーン５０は、プロジェクタ装置１０から出射され、投射面で反射される映像光がユーザによって視認されるとき、充分な明るさを示すスクリーンゲインを有した投射面を備えている。
【００２２】
プロジェクタ装置１０と各機器の接続については、図示するケーブル接続のほかに無線ＬＡＮ（Local Area Network）等のワイヤレス接続とすることも可能である。
【００２３】
図２は、本発明の第１の実施の形態に係るプロジェクタ装置の斜視図である。
【００２４】
プロジェクタ装置１０は、矩形状の本体１１を有し、本体１１の前面に設けられる投射レンズ１２と、投射レンズ１２に隣接して本体１１の前面に設けられる吸気孔１３と、画像のサイズを調整するズームレバー１４と、リモートコントローラ２０から送信される光信号を受光する受光部１５と、本体上面にプロジェクタ装置１０の各部を操作する複数のスイッチおよびインジケータからなる本体操作部４とを有する。
【００２５】
図３は、本発明の第１の実施の形態に係るプロジェクタ装置の本体操作部を示す正面図である。
【００２６】
本体操作部４は、決定スイッチ４１を中心に、その周囲に複数のスイッチおよび発光素子からなるインジケータを環状に配置して構成されている。第１のスイッチ群として、メニュー表示を表示させるメニュースイッチ４２と、台形歪み調整を行うためのキーストーンスイッチ４３と、電源のＯＮ／ＯＦＦおよびスタンバイを行うためのオン／スタンバイスイッチ４４と、映像信号の入力切換を行うインプットスイッチ４５と、現在の表示から先の表示に戻すためのリターンスイッチ４６と、オン／スタンバイ状態を示すオン／スタンバイインジケータ４００Ａと、本体に内蔵されるランプのモードを表示するランプインジケータ４００Ｂと、プロジェクタ装置１０の内部温度が高温であるとき点灯する温度インジケータ４００Ｃと、冷却ファンのモードを表示するファンインジケータ４００Ｄとが環状に配置される。
【００２７】
また、第２のスイッチ群として、メニューでの選択・調整・音量調整を行うための選択スイッチ４７Ａ〜４７Ｄが第１のスイッチ群の内側に環状に配置されている。
【００２８】
図４は、本発明の第１の実施の形態に係るリモートコントローラの構成を示す正面図である。
【００２９】
リモートコントローラ２０は、スイッチ操作に基づく光信号（レーザ光）を出射するリモコン送信部２００と、プロジェクタ装置１０の電源のＯＮ／ＯＦＦおよびスタンバイを行うためのオン／スタンバイスイッチ２０１と、リモコン送信部２００からレーザ光が出射されているとき点灯するレーザインジケータ２０２と、台形歪み調整を行うためのキーストーンスイッチ２０３と、ＰＣ装置３０からアナログ信号が入力しているときに設定を行うためのオートセットスイッチ２０４と、映像信号の入力切換を行うインプットスイッチ２０５と、レーザポインタとしてポインタを表示させるレーザスイッチ２０６と、現在の表示から先の表示に戻すためのリターンスイッチ２０７と、メニュー表示を表示させるメニュースイッチ２０８と、決定スイッチ２０９と、マウスポインタのコントロールに用いるマウスコントロールスイッチ２１０と、決定スイッチ２０９の周囲に環状に配置される選択スイッチ２１１Ａ〜２１１Ｄと、スライドの進行に用いるＰＡＧＥ＋スイッチ２１２と、映像と音声を一時的に停止するミュートスイッチ２１３と、映像を停止するフリーズスイッチ２１４と、０から９の数字スイッチとクリアスイッチからなるテンキー２１５と、リモートコントローラ２０の電源をＯＮ／ＯＦＦするＯＮ／ＯＦＦスイッチ２１６と、画像サイズを切り換えるスクリーンサイズスイッチ２１７と、映像モードを切り換えるためのピクチャースイッチ２１８と、画像の拡大縮小を行うリサイズスイッチ２１９と、スライドの戻し等に用いるＰＡＧＥ−スイッチ２２０と、マウス機能における右クリックスイッチとして用いるＲクリックスイッチ２２１とを有する。また、図示しない背面には、マウス機能における左クリックスイッチとして用いるＬクリックスイッチが設けられている。
【００３０】
図５は、本発明の第１の実施の形態に係るプロジェクタ装置の画像形成部を示す概略構成図である。
【００３１】
画像形成部は、高圧放電灯からなり白色光を出射するランプ１６と、赤セグメント１７Ｒ、緑セグメント１７Ｇ、青セグメント１７Ｂ、および白セグメント１７Ｗを含む円盤状のカラーホイール１７と、回転軸１８Ａに固定されたカラーホイール１７を回転させるモータ１８と、微細な複数のミラーエレメントからなり、各ミラーの傾斜角を制御することによって投射レンズから出射される映像光の色階調を制御するＤＭＤ素子１９と、ＤＭＤ素子１９で反射された光をスクリーン５０に投射する投射レンズ１２からなる。
【００３２】
カラーホイール１７の各セグメント１７Ｒ、１７Ｇ、１７Ｂは、例えば、可視光の波長を選択的に通過させる性質を有するダイクロイックフィルタにより構成される。白セグメント１７Ｗは、ランプ１６から出射される光が白色であるので、第１の実施の形態では発光色に対して透明なフィルタで良い。
【００３３】
モータ１８は、ＤＭＤ素子１９に供給される映像信号の映像フィールドに同期して、カラーホイール１７を回転駆動する。このモータ１８は、例えば、１２０回転／秒でカラーホイール１７を回転駆動する。
【００３４】
ＤＭＤ素子１９は、画像の各画素に対応してマイクロミラーが配置されている。各マイクロミラーは入力映像信号に応じてＯＮ／ＯＦＦ制御される。マイクロミラーがＯＮのとき、ランプ１６からの光がスクリーン５０に向かうようにその傾きが制御される。例えば、赤成分映像信号がＤＭＤ素子１９に供給されているとき、赤成分映像信号に対応するマイクロミラーがＯＮ状態となり、赤セグメント１７Ｒを透過した赤色の光がＤＭＤ素子１９に照射され、マイクロミラーで反射された赤成分映像が投射レンズ１２を介してスクリーン５０に投射される。各マイクロミラーのＯＮ時間は、入力する映像信号の値（画素値）に応じて決定される。
【００３５】
なお、ランプ１６がセグメントの境界部を照射するときの光はスクリーン５０に投射しない。また、ランプ１６が白セグメント１７Ｗを照射しているとき、ＤＭＤ素子１９は、供給される入力映像信号に対応するマイクロミラーのＯＮ時間を最適に制御することにより、白色光をスクリーン５０の方向に反射させる。
【００３６】
図６は、本発明の第１の実施の形態に係るプロジェクタ装置のブロック図である。
【００３７】
プロジェクタ装置１０は、色セグメントに対応したタイミングでランプ１６の駆動電流にパルス電流を重畳するパルス重畳制御を行う制御部１００と、プロジェクタ装置１０のファームウエアや動作に必要なプログラム、ランプ波形等を格納する不揮発性メモリからなるプログラムメモリ１０１と、各種設定画面等のイメージを格納する不揮発性メモリからなるイメージメモリ１０２と、本体１１に設けられる本体操作部４およびリモートコントローラ２０の受光部１５を含む操作入力部１０３と、入力映像信号としてのアナログ映像信号をデジタル映像信号に変換するＡ／Ｄコンバータ１０４と、入力映像信号としてのビデオ映像信号をデコードするビデオデコーダ１０５と、ランプ１６の点灯制御を行うランプ制御部１０６と、カラーホイール１７を駆動するモータ１８に駆動電流を供給するモータ駆動部１０７と、モータ１８の回転軸１８Ａと結合されるカラーホイール１７の回転軸１７Ａに設けられるマーク１７Ｍを光学検出するポジションセンサ１０８を有する。
【００３８】
ポジションセンサ１０８は、カラーホイール１７の回転軸１７Ａに反射性材料で設けられるマーク１７Ｍに対し、センサ光源から出射した光の反射光をフォトインタラプタで検出することによってカラーホイール１７の位相を検出しており、制御部１００は、カラーホイール１７の位相検出信号に基づいてランプパルスの重畳タイミングを決定する。
【００３９】
制御部１００は、操作入力部１０３から入力する操作信号に応じてＤＭＤ素子１９、ランプ制御部１０６、モータ駆動部１０７を制御する。本体操作部４あるいはリモートコントローラ２０からの入力による操作信号に基づいてランプ制御部１０６へ映像設定値に対応するランプ波形コントロール信号とランプ電力コントロール信号を送り、更にＤＭＤ素子１９を映像信号に対応して駆動することにより、映像の色バランスを変更する。
【００４０】
ランプ波形コントロール信号は、カラーホイール１７の同期信号とランプパルス幅及びランプパルス高さを定義する信号を含んでいる。ランプ波形コントロール信号により、カラーホイール１７の任意のセグメント位置に任意の幅及び高さのパルス電流を供給することが可能となる。
【００４１】
ランプ電力コントロール信号は、ランプ波形コントロール信号のパルス幅及びパルス高さの変動に伴って変動するランプ電力を補正するための信号（例えば、ＰＷＭ方式の信号）であって、ランプ電力を任意の一定値に保持することを可能としている。
【００４２】
図７は、本発明の第１の実施の形態におけるランプ制御部によるランプパルス重畳制御を示すタイミング図であり、（ａ）は赤セグメントへのパルス重畳を示し、（ｂ）は白セグメントへのパルス重畳を示す。カラーホイール１７は図示する４つのセグメントによって１周期を構成し、カラーホイール１７の回転シーケンスはこの周期を回転に基づいて繰り返すものである。
【００４３】
図７（ａ）においては、ランプの実効電流を一定に保持しつつカラーホイール１７の赤セグメント（Ｒ）に同期させてランプパルスを重畳させた状態であり、赤セグメント（Ｒ）におけるランプの光出力が向上する。このことにより、スクリーンに投射される映像の赤成分が増加する。
【００４４】
図７（ｂ）においては、ランプの実効電流を一定に保持しつつカラーホイール１７の白セグメント（Ｗ）に同期させてランプパルスを重畳させた状態であり、白セグメント（Ｗ）におけるランプの光出力が向上する。このことにより、スクリーンに投射される映像の明るさが増加する。
【００４５】
図８は、本発明の第１の実施の形態に係る投射型画像表示システムの状態遷移図である。
【００４６】
プロジェクタ装置１０と、ＰＣ装置３０と、および録画再生装置４０とを図１に示すようにケーブル接続した後、リモートコントローラ２０のオン／スタンバイスイッチ２０１を操作してプロジェクタ装置１０の電源をＯＮにする。プロジェクタ装置１０が正常に起動すると、スクリーン５０にロゴ等の初期画像が表示された後に映像信号入力待機状態となる、次に、リモートコントローラ２０もしくは本体操作部４のピクチャースイッチを操作すると、プロジェクタ装置１０に信号を出力している機器に応じた映像モードメニューがスクリーン５０に表示される。なお、プロジェクタ装置１０の電源は、本体１１に設けられる本体操作部４のオン／スタンバイスイッチ４４でＯＮにしても良い。
【００４７】
図９は、スクリーンに表示される映像モードメニューを部分的に示す図であり、（ａ）はＰＣ装置対応の映像モードメニュー、（ｂ）は録画再生装置対応の映像モードメニューである。
【００４８】
図１０は、本発明の第１の実施の形態に係る投射型画像表示システムの動作を示すフローチャートである。以下に、図９に示す映像モードメニューの画面を参照しつつ説明する。
【００４９】
例えば、プロジェクタ装置１０に接続されたＰＣ装置３０が起動しており（Ｓ１）、映像信号が出力されている場合、プロジェクタ装置１０の制御部１００はこれを認識し（Ｓ２：ＲＧＢ）、ピクチャースイッチの操作があると、プログラムメモリ１０１から映像モード調整プログラムを読み込むとともに、図９（ａ）に示すＰＣ装置に対応する映像モードメニューＡのイメージをイメージメモリ１０２から読み込んで映像信号として出力する（Ｓ３）。
【００５０】
このＰＣ装置に対応する映像モードメニューＡでは、ＲＧＢ信号に基づく映像信号に対し、明るさおよび色純度について５段階の調整が可能であり、「１」は明るさ、「２」〜「５」は演色性の調整用である。「１」の選択時にはカラーホイール１７の白セグメント１７Ｗへの照射タイミングにおけるランプパルス重畳制御が行われる。また、「２」〜「５」の選択時にはカラーホイール１７の赤セグメント１７Ｒへの照射タイミングにおけるランプパルス重畳制御が行われ、選択されるモードによってパルス高さおよびバルス幅の異なるランプパルスが重畳される。
【００５１】
映像モードは、本体操作部４またはリモートコントローラ２０の選択スイッチを操作することによって選択領域Ｃを所望の調整量に移動させた後（Ｓ４）、本体操作部４またはリモートコントローラ２０の決定スイッチを操作することによって設定が反映される（Ｓ５）。
【００５２】
また、プロジェクタ装置１０に接続された録画再生装置４０が起動しており（Ｓ１）、映像信号が出力されているとき、プロジェクタ装置１０の制御部１００はこれを認識し（Ｓ２：Video、S-Video、Y/PB/PR）、プログラムメモリ１０１から映像モード調整プログラムを読み込むとともに、図９（ｂ）に示す録画再生装置に対応する映像モードメニューＢのイメージをイメージメモリ１０２から読み込んで映像信号として出力する（Ｓ６）。
【００５３】
この録画再生装置に対応する映像モードメニューＢでは、Ｖｉｄｅｏ信号、Ｓ−Ｖｉｄｅｏ信号、Ｙ／ＰＢ／ＰＲ信号に基づく映像信号に対し、明るさおよび色純度について３段階の調整が可能であり、「１」は明るさ、「２」および「３」は演色性の調整用である。「１」の選択時にはカラーホイール１７の白セグメント１７Ｗへの照射タイミングにおけるランプパルス重畳制御が行われる。また、「２」又は「３」の選択時にはカラーホイール１７の赤セグメント１７Ｒへの照射タイミングにおけるランプパルス重畳制御が行われ、選択されるモードによってパルス高さおよびバルス幅の異なるランプパルスが重畳される。
【００５４】
（第１の実施の形態の効果）
上記した第１の実施の形態によると、プロジェクタ装置１０に接続された機器（ＰＣ装置３０又は録画再生装置４０）を認識し、映像信号入力に応じた映像モードメニューを選択してスクリーン５０に表示させるようにしたので、投射型画像表示システムの使用に際してスクリーン５０に表示された映像を見ながら、ユーザや設計者が好みの明るさや色純度の調整を容易かつ直感的に行うことができる。
【００５５】
なお、第１の実施の形態では、ランプパルスの重畳制御を白セグメント１７Ｗおよび赤セグメント１７Ｒに対応して行う構成を説明したが、ランプパルスの重畳制御を他のセグメントに対して行うことも可能である。例えば、人間の視覚感度が高い緑色領域を補うものとして緑セグメント１７Ｇに対してランプパルスの重畳制御を行うことにより、色再現性の向上を主とした調整を行うことができる。
【００５６】
また、第１の実施の形態では、映像モードメニューを本体操作部４またはリモートコントローラ２０のピクチャースイッチの操作に基づいて呼び出す構成を説明したが、メニュースイッチの操作に基づいて呼び出される設定表示メニューから映像モードメニューを操作することも可能である。
【００５７】
（第２の実施の形態）
図１１は、本発明の第２の実施の形態に係る投射型画像表示システムの状態遷移図である。図１２は、映像信号としてＲＧＢ信号が入力しているときのメニュースイッチの操作に基づいて表示される表示画面であり、（ａ）は設定表示メニューの表示画像、（ｂ）は映像調整メニューの第１の表示画像、（ｃ）は映像調整メニューの第２の表示画像である。以下の説明において、第１の実施の形態と同一の構成および機能を有する部分については同一の符号を用いている。
【００５８】
第２の実施の形態では、プロジェクタ装置１０のＯＮ状態において、本体操作部４またはリモートコントローラ２０のメニュースイッチを操作することにより、スクリーン５０に図１２（ａ）に示す設定表示メニューＭが表示される。
【００５９】
この設定表示メニューＭには、映像調整メニュー、表示設定メニュー、初期設定メニュー、および状態表示メニューが含まれており、本体操作部４またはリモートコントローラ２０の選択スイッチを操作することによって各メニューの表示切り換えを行う。
【００６０】
図１２（ｂ）は、設定表示メニューＭの映像調整メニューＭ１を選択し、さらにその中の映像モードを選択した状態を示す。ここで、映像モードを変更するときは、選択スイッチを操作することによって映像モードメニューＤが表示される。この映像モードメニューＡに含まれる選択領域Ｃを所望の調整量に移動させた後、本体操作部４またはリモートコントローラ２０のメニュースイッチを操作することによって設定が反映される。
【００６１】
図１３は、映像信号としてＶｉｄｅｏ信号、Ｓ−Ｖｉｄｅｏ信号、又はＹ／ＰＢ／ＰＲ信号が入力しているときのメニュースイッチの操作に基づいて表示される表示画面であり、（ａ）は設定表示メニューの表示画像、（ｂ）は映像調整メニューの第１の表示画像、（ｃ）は映像調整メニューの第２の表示画像である。
【００６２】
Ｖｉｄｅｏ系信号の設定表示メニューＭでは、ＲＧＢ信号の設定表示メニューＭに対して映像調整メニューＭ１における調整可能な項目が増えているが、映像モードメニューＥの調整量は３段階である。その他はＲＧＢ信号の設定表示メニューＭと同じである。
【００６３】
（第２の実施の形態の効果）
上記した第２の実施の形態によると、メニュースイッチ操作によっても映像モードメニューの操作に基づく明るさや色純度の調整を容易かつ直感的に行うことができ、設定表示メニューＭにおける他の設定項目の調整と合わせて映像の調整を効率良く行うことができる。
【００６４】
なお、本発明は、上記した各実施の形態に限定されず、本発明の技術思想を逸脱あるいは変更しない範囲内で種々な変形が可能である。
【図面の簡単な説明】
【００６５】
【図１】本発明の第１の実施の形態に係る投射型画像表示システムを示す概略構成図である。
【図２】本発明の第１の実施の形態に係るプロジェクタ装置の斜視図である。
【図３】本発明の第１の実施の形態に係るプロジェクタ装置の本体操作部を示す正面図である。
【図４】本発明の第１の実施の形態に係るリモートコントローラの構成を示す正面図である。
【図５】本発明の第１の実施の形態に係るプロジェクタ装置の画像形成部を示す概略構成図である。
【図６】本発明の第１の実施の形態に係るプロジェクタ装置のブロック図である。
【図７】本発明の第１の実施の形態におけるランプ制御部によるランプパルス重畳制御を示すタイミング図であり、（ａ）は赤セグメントへのパルス重畳を示し、（ｂ）は白セグメントへのパルス重畳を示す。
【図８】本発明の第１の実施の形態に係る投射型画像表示システムの状態遷移図である。
【図９】スクリーンに表示される映像モードメニューを部分的に示す図であり、（ａ）はＰＣ装置対応の映像モードメニュー、（ｂ）は録画再生装置対応の映像モードメニューである。
【図１０】本発明の第１の実施の形態に係る投射型画像表示システムの動作を示すフローチャートである。
【図１１】本発明の第２の実施の形態に係る投射型画像表示システムの状態遷移図である。
【図１２】映像信号としてＲＧＢ信号が入力しているときのメニュースイッチの操作に基づいて表示される表示画面であり、（ａ）は設定表示メニューの表示画像、（ｂ）は映像調整メニューの第１の表示画像、（ｃ）は映像調整メニューの第２の表示画像である。
【図１３】映像信号としてＶｉｄｅｏ信号、Ｓ−Ｖｉｄｅｏ信号、又はＹ／ＰＢ／ＰＲ信号が入力しているときのメニュースイッチの操作に基づいて表示される表示画面であり、（ａ）は設定表示メニューの表示画像、（ｂ）は映像調整メニューの第１の表示画像、（ｃ）は映像調整メニューの第２の表示画像である。
【符号の説明】
【００６６】
１…投射型画像表示システム、４…本体操作部、１０…プロジェクタ装置、１１…本体、１２…投射レンズ、１３…吸気孔、１４…ズームレバー、１５…受光部、１６…ランプ、１７…カラーホイール、１７Ａ…回転軸、１７Ｒ…赤セグメント、１７Ｇ…緑セグメント、１７Ｂ…青セグメント、１７Ｍ…マーク、１７Ｗ…白セグメント、１８…モータ、１８Ａ…回転軸、１９…ＤＭＤ素子、２０…リモートコントローラ、３０…ＰＣ装置、４０…録画再生装置、４１…決定スイッチ、４２…メニュースイッチ、４３…キーストーンスイッチ、４４…オン／スタンバイスイッチ、４５…インプットスイッチ、４６…リターンスイッチ、４７Ａ〜４７Ｄ…選択スイッチ、５０…スクリーン、１００…制御部、１０１…プログラムメモリ、１０２…イメージメモリ、１０３…操作入力部、１０４…Ａ／Ｄコンバータ、１０５…ビデオデコーダ、１０６…ランプ制御部、１０７…モータ駆動部、１０８…ポジションセンサ、２００…リモコン送信部、２０１…オン／スタンバイスイッチ、２０２…レーザインジケータ、２０３…キーストーンスイッチ、２０４…オートセットスイッチ、２０５…インプットスイッチ、２０６…レーザスイッチ、２０７…リターンスイッチ、２０８…メニュースイッチ、２０９…決定スイッチ、２１０…マウスコントロールスイッチ、２１１Ａ〜２１１Ｄ…選択スイッチ、２１２…ＰＡＧＥ＋スイッチ、２１３…ミュートスイッチ、２１４…フリーズスイッチ、２１５…テンキー、２１６…ＯＮ／ＯＦＦスイッチ、２１７…スクリーンサイズスイッチ、２１８…ピクチャースイッチ、２１９…リサイズスイッチ、２２０…ＰＡＧＥ−スイッチ、２２１…Ｒクリックスイッチ、４００Ａ…オン／スタンバイインジケータ、４００Ｂ…ランプインジケータ、４００Ｃ…温度インジケータ、４００Ｄ…ファンインジケータ
【図１】
2007194950.tif 000003
【図２】
2007194950.tif 000004
【図３】
2007194950.tif 000005
【図４】
2007194950.tif 000006
【図５】
2007194950.tif 000007
【図６】
2007194950.tif 000008
【図７】
2007194950.tif 000009
【図８】
2007194950.tif 000010
【図９】
2007194950.tif 000011
【図１０】
2007194950.tif 000012
【図１１】
2007194950.tif 000013
【図１２】
2007194950.tif 000014
【図１３】
2007194950.tif 000015